(57)【特許請求の範囲】
【請求項１】
針（２１０）を固定する固定部材（２２０）の内側に内部空間（２３０）が形成される注射針（２００）と、前記注射針（２００）の固定部材（２２０）の内部空間（２３０）に脱着される先端部（１３０）を有してシリンダー（１１０）とピストン（１２０）を有する注射器本体（１００）でなされた通常の注射器において、
前記注射針（２００）の固定部材（２２０）の内部空間（２３０）に装着されるフィルター構造体（１０）は、逆止弁機能を有するそれぞれの流入口（１１）と流出口（１２）を有するそれぞれの一方向性流入流路（１３）と流出流路（１４）を有し、
前記流入口（１１）は前記流出口（１２）の外周に位置し、前記流出口（１２）は流出方向に突出した湾曲面を有し、
前記流出口（１２）の後端の流出流路（１４）の内部のみにフィルター（２０）が装着されて、流入口（１１）を通じて異物等と同時に流入された薬液が患者に注射時には異物はフィルター（２０）に濾過されながら薬液だけが流出口（１２）を通じて注射されるようにすることを特徴とするフィルターニードル。
【請求項２】
前記フィルター構造体（１０）の流入流路（１３）と流出流路（１４）は、密閉型でなされることを特徴とする請求項１に記載のフィルターニードル。
【請求項３】
前記フィルター構造体（１０）の流入流路（１３ａ）は、オープン型であり、流出流路は密閉型１４でなされることを特徴とする請求項１に記載のフィルターニードル。
【請求項４】
前記フィルター構造体の流入口を有する流入流路は、流出口を有する流出流路の外側に放射状で形成されて、流出流路は流入流路より相対的に大きい直径を有するようになることを特徴とする請求項１または２に記載のフィルターニードル。
【請求項５】
前記フィルター構造体は、密閉型でなされた流出流路の外側に一定間隔で柱が形成されて、オープン型の流入流路（１３ａ）を構成した状態で注射針の固定部材の内部空間に結合されながら密閉型の流入流路を形成することを特徴とする請求項１または３に記載のフィルターニードル。
【請求項６】
前記フィルター構造体の流入口と流出口は、薬液が吐出される内側には内側湾曲面を形成して、その外側に突出湾曲面を形成して、その先端に切開線によって逆止弁機能を具備した流入口と流出口を形成することを特徴とする請求項４に記載のフィルターニードル。
【請求項７】
前記フィルター構造体の密閉型の流出流路は、切開線で形成される流出口を具備して、オープン型の流入流路は一側だけで折り畳まれる傾斜膜でなされて、柱によって支持されて逆止弁機能を具備することを特徴とする請求項５に記載のフィルターニードル。
【請求項８】
前記フィルター構造体は、密閉型でなされた流出流路の外側に傾斜膜（１１ａ−１）を有するオープン型の流入流路（１３ａ）を構成した状態で、注射針（２００）の固定部材（２２０）の内部空間（２３０）の内壁（２３０ａ）に形成されたガイド溝（２３０ｂ）によって結合されながら密閉型の流入流路を形成することを特徴とする請求項１または３に記載のフィルターニードル。
【請求項９】
前記ガイド溝は、内部空間の内壁の段顎を横切って形成されて、傾斜膜はガイド溝が貫通された段顎（２４０ａ）の下端に上面が密着されて逆止弁機能を具現するようにすることを特徴とする請求項８に記載のフィルターニードル。
【請求項１０】
前記フィルター構造体のフィルターは、平板状でなされて、前記フィルターを固定する隔壁は流出流路より突き出されて、突出した隔壁には流路の流れを誘導するために放射状の開口部が形成されることを特徴とする請求項１に記載のフィルターニードル。
【請求項１１】
前記フィルター構造体の流出流路に装着されるフィルターは、内部空間を形成する筒体でなされることを特徴とする請求項１に記載のフィルターニードル。
【請求項１２】
前記フィルター構造体の柱の長さは、流出流路の後端に形成される流出口が形成される突出湾曲面よりさらに突き出されることを特徴とする請求項５に記載のフィルターニードル。
【発明の詳細な説明】
【技術分野】
【０００１】
本発明は、医療用のフィルターニードルに関するものであり、特に、シリンダーとピストンでなされた注射器に脱着して使用されるものであり、ガラスやプラスチックでなされたアンプルの薬液を注射器のシリンダー内部に吸いこんで注射針を通じて患者に入れ込む場合に、ガラスやプラスチックでなされたアンプルで発生される微細粉などが患者に注入されることを防止するためのものである。
【０００２】
また、ガラスやプラスチックでなされたアンプルの薬液を注射器のシリンダー内部に吸いこむ場合に、吸入の容易性と患者に入れ込む場合における注入の容易性を提供するためのものである。
【背景技術】
【０００３】
一般に、注射器は、注射器本体と、その前方に脱着される注射針でなされるが、病院で患者に直接薬液を入れ込む場合に使用されるものであり、このような患者らの大部分は、一番小さな微生物で生細胞に寄生して増殖する各種ウイルスに汚染した患者であるか、または微細な単細胞生物である細菌（ｂａｃｔｅｒｉａ）、特に、人体に有害な病原性細菌に汚染された患者であるために、注射過程で２次感染が発生されることを防止するために使い捨て注射器が義務的に使用されている。
【０００４】
しかし、このような１回用の注射器は、使用時に固形注射剤の溶解や水溶性注射剤を希釈するために作られた注射用蒸溜水が必要な固形を除き大部分液状でなされて、ガラスやプラスチックで製造されたアンプルに盛られるようになるものであり、長期間の保管が必要なものなどは、使用時に溶解して使用する固形の形態でなされながらこれらもアンプルに盛られて保管するようになって、使用時に注射用蒸溜水と混合して使用するようになる。
【０００５】
この時、注射のためにアンプルをオープンする場合に発生されるガラスパウダー（知られたところによる粒子の大きさ１０〜７０μｍである）やプラスチックパウダー（知られたところによる粒子の大きさは、ガラスパウダーよりさらに細かい）などその他の不純物パウダーが発生されて、この状態で注射針の針（規格化されていて通常その外径は、６５２μｍである）を使って注射器本体でアンプルに盛られた液状の薬液または注射用蒸溜水と混合した固形の薬液を注射器で吸いこめばアンプルをオープンする場合に発生された各種パウダーや異物が液状の薬液または注射用蒸溜水と混合した固形の薬液と同時に吸い込まれるようになることで、結局このようなものが注射剤と同時に人体に注入される。
【０００６】
したがって、これによって注入された異物のうちで、特に、ガラス破片は血管に沿って動きまわって組織壊死や肺肉芽腫、静脈炎、血栓などを起こして、これを放置しておけば癌に発展する可能性もあるものとして知られ、今後多くの副作用が憂慮される。
【０００７】
したがって、最近にはフィルターニードルとして、図８及び図９に示されたように注射針２００が注射器の前方に脱着されるために針２１０を固定している固定部材２２０内にフィルター３００を設置して、注射針を通じて薬物を注射器本体で吸いこむ時にアンプルをオープンする場合に発生されるガラスパウダーやプラスチックパウダーなど、その他の不純物パウダーのような異物を濾過して出すようにしたものが提案されている。
【０００８】
しかし、このような場合に必ず注射針を交換しなければならないが、そうではない場合にはフィルターに付いている異物がそのまま再び注射針を通じて患者に注入される問題がある。
【０００９】
したがって、実質的に医療現場では薬液を注射針を通じてシリンダー１１０とピストン１２０で構成された注射器本体１００で吸入して吸い込む場合には、フィルター３００が装着された注射針２００を使って、患者に注射する場合には注射針２００を再び入れ替えた後注射するようにする。
【００１０】
しかし、このような場合に発生される薬液の露出によって空気中で酸化されるか、またはまた他の感染の憂慮が存在するようになることはもちろん、このような一連の作業らが医療従事者らには非常に煩わしいだけでなく、緊急を要する急病患者には迅速に対処することができないし、また、このような使い捨て注射器は一日にも非常に多い量を使用するが、一度注射時に注射針を複数で使用することによって、医療廃棄物が幾何級数的に増加して環境に悪影響を及ぼすようになる。
【００１１】
特に、このような注射用の医療廃棄物は、一般医療用の廃棄物とは別に仕分けされて処理するようになっていて、これによる処理費用も増加するようになる問題がある。
【発明の概要】
【発明が解決しようとする課題】
【００１２】
したがって本発明は、注射針の交換なしに異物を濾過して出しながら、組み立てが容易であって、安い費用で提供が可能でありながら、注射時の圧力を分散させて注射が容易であるようにした。
【課題を解決するための手段】
【００１３】
このために本発明は、注射針の針を固定しながら注射器本体の前方に脱着するようになる固定部材に逆止弁機能を有する流入口と流出口を有するそれぞれの一方向性流路を有するフィルター構造体を内蔵して、前記フィルター構造体の流出口の前端にはフィルターを装着して、流入口を通じて異物等と同時に流入された薬液が患者に注射時には異物は、フィルターに濾過されながら薬液だけが流出口を通じて注射するようにした。
【００１４】
また、逆止弁機能を有する流入口と流出口は、逆止弁の機能を補うための構造を構造の変化だけで吸入の容易性と排出の容易性はもちろん、吸入と排出時に逆止弁の機能が毀損されることを防止した。
【００１５】
また、流入口を通じて流入された薬液を注射する場合に圧力を低減させるためにフィルターの断面積を変化させて、流出時（注射時）に圧力の分散がなされるようにした。
【００１６】
また、フィルター構造体を一つの胴体で射出成形するようにすることで、製造の容易性と精密なフィルタリングはもちろん、製品の均一性を提供した。
【００１７】
また、フィルター構造体を単純化して、注射針の針を固定しながら注射器本体の前方に脱着されるように結合される固定部材の構造を変化させることで、製造の容易性を提供しながら注射する場合、すなわち、流出口を通じて薬液が排出される場合に圧力を最小にした。
【発明の効果】
【００１８】
したがって本発明は、薬液を吸いこんで排出するラインが仕分けされて、注射針の入れ替えの必要がなくて、薬液の排出時のみにフィルターによって異物が濾過されることで異物が患者に投与される恐れがなくなり、同時にフィルターの断面積が増加し注射が容易になる。
【００１９】
また、フィルターが装着されたフィルター構造体のみを注射針の固定部材に装着することで、既存の注射器に適用可能で製造はもちろん組み立ての容易性を提供するようになったことにより、低価格で提供可能になる。
【図面の簡単な説明】
【００２０】
【図１】本発明の密閉型のフィルター構造体の一実施例の斜視図である。
【図２】図１のフィルター構造体が注射器に装着された状態の断面図である。
【図３】図１のフィルター構造体の流入流路に薬液が流入される状態図である。
【図４】図１のフィルター構造体の流出流路に薬液が吐出される状態図である。
【図５】本発明の密閉型のフィルター構造体のまた他の一実施例の斜視図である。
【図６】図５のフィルター構造体が注射器に装着された状態の断面図である。
【図７】図５のフィルター構造体の流入流路に薬液が流入される状態図である。
【図８】図５のフィルター構造体の流出流路に薬液が吐出される状態図である。
【図９】本発明の密閉型のフィルター構造体の第３実施例の斜視図である。
【図１０】図９のフィルター構造体が注射器に装着された状態の断面図である。
【図１１】図９のフィルター構造体の流入流路に薬液が流入される状態図である。
【図１２】図９のフィルター構造体の流出流路に薬液が吐出される状態図である。
【図１３】本発明のオープン型流入流路を有するフィルター構造体の一実施例の斜視図である。
【図１４】図１３のフィルター構造体が注射器に装着された状態の断面図である。
【図１５】図１３のフィルター構造体の流入流路に薬液が流入される状態図である。
【図１６】図１３のフィルター構造体の流出流路に薬液が吐出される状態図である。
【図１７】図１３のフィルター構造体の外観斜視図である。
【図１８】本発明のオープン型流入流路を有するフィルター構造体の第２実施例の斜視図である。
【図１９】図１８のフィルター構造体が注射器に装着された状態の断面図である。
【図２０】図１８のフィルター構造体の流入流路に薬液が流入される状態図である。
【図２１】図１８のフィルター構造体の流出流路に薬液が吐出される状態図である。
【図２２】本発明のオープン型流入流路を有するフィルター構造体の第３実施例の斜視図である。
【図２３】図２２のフィルター構造体が注射器に装着された状態の断面図である。
【図２４】図２２のフィルター構造体の流入流路に薬液が流入される状態図である。
【図２５】図２２のフィルター構造体の流出流路に薬液が吐出される状態図である。
【図２６】図２２のフィルター組立体が固定部材の内部空間に結合された状態断面図である。
【図２７】図２２の内壁に形成されたがイド溝を示した断面図である。
【図２８】本発明のオープン型流入流路を有するフィルター構造体の第４実施例の斜視図である。
【図２９】図２８のフィルター構造体が注射器に装着された状態の断面図である。
【図３０】図２８のフィルター構造体の流入流路に薬液が流入される状態図である。
【図３１】図２８のフィルター構造体の流出流路に薬液が吐出される状態図である。
【図３２】従来のニードルフィルターが注射器に適用された状態の分解斜視図である。
【図３３】図３２の装着された状態の断面図である。
【発明を実施するための形態】
【００２１】
針２１０を固定する固定部材２２０の内側に内部空間２３０が形成される注射針２００と前記注射針２００の固定部材２２０の内部空間２３０に脱着される先端部１３０を有してシリンダー１１０とピストン１２０を有する注射器本体１００でなされた通常の注射器において、
前記注射針２００の固定部材２２０の内部空間２３０に装着されるフィルター構造体１０は、逆止弁機能を有するそれぞれの流入口１１と流出口１２を有するそれぞれの一方向性流入流路１３と流出流路１４を有して、
前記流出口１２の後端の流出流路１４の内部のみにフィルター２０が装着されて、流入口１１を通じて異物等と同時に流入された薬液を患者に注射時に異物は、フィルター２０に濾過されながら薬液だけが流出口１２を通じて注射するようにすることを特徴とするフィルターニードルである。
【００２２】
（発明の実施のための形態）
図１、５、９、１３、１８、２２、２８は、本発明の分離されたそれぞれの流路を有する多様な形態のフィルターニードルが適用された注射器を示したものであり、図２、６、１０、１４、１９、２３、２９は、フィルターニードルが注射器に装着された状態の断面図であり、図３、７、１１、１５、２０、２４、３０は、フィルターニードルを通じて薬液が吸入される状態図であり、図４、８、１２、１６、２１、２５、３１は、フィルターニードルを通じて薬液が排出される状態図を示した。
【００２３】
現在一般的に使用される注射器の構造は、ピストン１２０が出入りされるシリンダー１１０の前方には注射針２００が脱着されるように前端部１３０が前方に突出形成される注射器本体１００と前記注射器本体１００の前端部１３０に脱着可能に装着される注射針２００で構成されて、前記注射針２００は通常金属材で製作される針２１０と針２１０を一体で固定（通常、緊密な固定のためにインサート射出される）しながら注射器本体１００の前端部１３０に脱着可能に装着される内部空間２３０を有する固定部材２２０でなされる。
【００２４】
このような注射器に適用される本発明のフィルター構造体１０は、前記注射針２００の針２１０を固定する固定部材２２０の内側、すなわち、内部空間２３０に装着されて、その後端には注射器本体１００の前端部１３０が装着されて、薬液を吸い込む場合にもフィルター構造体１０が固定部材２２０の内部空間２３０で任意的に抜けなくなる。
【００２５】
また、本発明で説明するフィルターニードルは、注射針２００の固定部材２２０の内部空間２３０に装着されるフィルター構造体１０が任意的な抜けが防止されるように結合された状態を指す。
【００２６】
また、本発明のフィルター構造体１０は、それぞれの独立された密閉型の流入流路１３と流出流路１４を具備して、既存の注射針２００の固定部材２２０の内部空間２３０に内壁２３０ａと緊密に密着されながら装着されるか、またはフィルター構造体１０をオープン型の流入流路１３ａと密閉型の流出流路１４を具備した後に固定部材２２０の内部空間２３０を形成する内壁２３０ａに形成されたガイド溝２３０ｂによって緊密に密着された状態で密閉された流入流路を形成することで、フィルター構造体１０を単純化することができる。
【００２７】
本発明でのフィルター構造体１０は、人体に無害で耐磨耗性はもちろん、耐熱性と弾性力が優秀な医療用のシリコンを使って一体で成形した。
【００２８】
しかし、医療用のシリコンの代用品を使って、本発明の目的の範囲内で多様な材質に置き換え可能であることは勿論である。
【００２９】
また、既存の注射針２００に装着されるフィルター構造体１０は、逆止弁機能を有する流入口１１と流出口１２を有して、その後方では一定の深さを有するそれぞれの一方向性流路、すなわち、流入流路１３と流出流路１４を有して、流出口１２の後端、すなわち、流出流路１４の内部のみにフィルター２０を装着することで、流入口１１を通じて異物等と同時に濾過なしに流入された薬液を患者に注射時には異物は、フィルター２０に濾過されながら薬液だけが流出口１２を通じて注射されるようにする。
【００３０】
また、単純化されたフィルター構造体１０は、中央には密閉型の流出流路１４を具備して、その外周にはチェック機能がないオープン型流入流路１３ａを形成して、オープン型流入流路１３ａの後端には圧力によって折り畳まれる傾斜膜１１ａ−１を形成した後、前記の単純化されたフィルター構造体１０を前記した注射針２００の固定部材２２０の内部空間２３０を形成する内壁２３０ａに緊密に密着されるように結合することで、内壁２３０に形成される一定の幅と深さでなされるガイド溝２３０ｂによって密閉型の一方向性流入流路を形成するようになって、その後端には逆止弁機能をする流入口１１ａが形成されるようになる。
【００３１】
また、フィルター構造体１０は、組み立て型でも製作が可能であるが、経済性、または製品の完全性を勘案すれば、一体型で製作することが望ましく、本発明でも一体型で説明されている。
【００３２】
また、本発明のフィルター構造体１０の流入流路は、密閉型１３であるか、またはオープン型１３ａであることがあるが、流出流路１４は必ず密閉型ではなければならない。
【００３３】
以下、本発明による望ましい実施例を添付した図面を参照して詳しく説明すれば次のようである。
【００３４】
図１、５、９は、フィルター構造体がそれぞれの独立された流入流路と流出流路が密閉型を示したものであり、図１３、１８、２２、２８は、フィルター構造体が流出流路は密閉型であり、流入流路はオープン型を示したものであり、図１３及び図１８はフィルター構造体が既存の注射針の固定部材の内部空間に装着されて流入流路が密閉型になることを示したものであり、図２２及び図２８は、フィルター構造体を単純化して、既存の注射針の固定部材の内部空間を形成する内壁にはガイド溝を形成して、フィルター構造体を結合した状態で流入流路が密閉型に形成される状態を示したものであり、図８は固定部材の内部空間を形成する内壁にフィルター構造体を結合して密閉型の流入流路を形成するための内壁のまた他の実施例を示した。
【００３５】
また図１及び図５は、フィルター構造体１０が中央に流出流路１４が形成されて、その外周縁に流入流路１３が形成されたものであり、図３に示されたフィルター構造体１０は、流入流路１３と流出流路１４が同一平面上でお互いにある一側に偏重された。
【００３６】
次は、前記に示されたようにフィルター構造体の多様な実施例によってその構造を詳しく説明すれば次のようである。
【００３７】
図１及び図５のフィルター構造体１０の構造は、中央に密閉型の流出流路１４が形成され、その外周縁に流入流路１３が形成され、流入流路１３は流出流路１４より内径が相対的に小さく形成されて、流入流路１３は密閉された状態でそれぞれ独立して複数個が形成されるものであり、この時できれば流入流路１３は、均一な間隔を維持することで注射器本体１００で薬液を吸いこむ場合に薬液の流入時に発生される圧力が均一になって、流入が容易になることはもちろん残量なしに完全に吸いこむようになる。
【００３８】
また、流入流路１３と流出流路１４は、一定の深さを有するようになりながら、その後端には逆止弁の機能をする流入口１１と流出口１２が形成されるものであり、流入流路１３と流出流路１４が一定の深さを有するようにすることで、このような深さによる長さによって、フィルター構造体１０が注射針２００の固定部材２２０の内部空間２３０に装着された状態で流動されなくなることで、注射器本体１００を利用して薬液の流入と流出時に発生される圧力によっても位置が変形（ねじ曲げ）しなくなる。
【００３９】
また、流入口１１と流出口１２は、お互いにその構造が反対になりながら反対方向に位置されながら逆止弁機能を有する。
【００４０】
本発明ではこのような逆止弁の機能を簡単な構造で具現するようにするために一定の深さを有する流入流路１３と流出流路１４の後端に流入口１１と流出口１２を形成しながらこのような流入口１１と流出口１２を一定の厚さを有する膜の形態で形成して、その膜を普段には膜の弾力性によって閉まっていながら圧力によってひろがるようになる切開線１１ａ、１２ａで形成した。
【００４１】
また、前記した切開線１１ａ、１２ａが形成された膜の形態は、流入口１１または流出口１２が薬液が吐出（進行）される方向に湾曲するようにそれぞれ内側湾曲面１１ｃ、１２ｃを形成して、薬液が集中するようにすることで瞬間的な圧力によって切開線１１ａ、１２ａのひろがることが容易であるようにして、吐出が容易であるようにしながらその反対側には突出湾曲面１１ｂ、１２ｂが突き出されるように形成されることで、圧力を少なく受けるようにして、流入や流出時にそれぞれ選択された流入流路１３または流出流路１４のみに薬液が追い込まれるようにすることで、逆止弁の機能を優秀にさせながらも具現化が容易にすることはもちろん、小さな圧力でも開けるようにした。
【００４２】
さらに、流出流路１４の流出口１２の外側に突出した突出湾曲面１２ｂは、図１ｂ及び図２ｂに示されたように注射針２００の固定部材２２０の中央に突き出されるように位置されることで、アンプルで薬液を注射器本体１００に吸いこむ場合に、薬液がこのような突出した突出湾曲面１２ｂによって自然に外側に広がるようになりながら、流入流路１３に進入されるものであり、図４及び図８に示されたように流入流路１３の流入口１１の外側に突出した突出湾曲面１１ｂは、薬液を患者に注射する場合に流出流路１４に自然に追い込まれるようにすることで、薬液を完全に排出するようにする。
【００４３】
また、薬液を流出流路１４を通じて流出口１２に吐出して患者に注射する場合に異物を濾過するために使用されるフィルター２０は、図５に示されたように平板２０ａ状で使用するか、または図１に示されたように内部が空の状態の筒体２０ｂで使用することができるものであり、これらはそれぞれ注射時に発生される圧力にも形態の変形がないか、または破れることがないようにするものであり、また前記のフィルター２０は流出流路１４に一定の位置に係止されるようにするための手段が使用されるものであり、このようなものは本発明の目的の範囲内で多様な変更使用が可能である。
【００４４】
また、フィルター２０が筒体２０ｂである場合には、突出した筒体と注射器本体１００の前端部１３０がほとんど密着するようにすることにより、薬液を吸いこむ場合にフィルター構造体が吸い込まれて引かれなくなりながら支持されるものであり、フィルター２０が平板２０ａである場合には、注射器本体１００の前端部１３０と支持するようにするために平板フィルター２０ａは、堅い材質でなされた隔壁２１によってねじ曲げることが防止されるように固定されて隔壁２１は、平板フィルター２０ａのわくと垂直で後方に延長されることで、結局隔壁２１が後方に突き出されながら注射器本体の前端部１３０によって吸い込まれて引かれなくなりながら支持される。
【００４５】
この時、後述する図１３及び図２２に示されるところのように隔壁２１には開口部２２を形成することで薬液の吸入を容易にすることで、このような隔壁２１は結局フィルター構造体１０の流入流路１３と流出流路１４の境界をなす薄肉部分ａを補強するようになる長所もある。
【００４６】
しかし、フィルター２０が平板２０ａである場合には、ボトルネック現象が発生されながら圧力が増加される反面にフィルター２０を内部空間が空の状態の筒体２０ｂで使用する場合には圧力が分散されながら、患者に注射する場合に低い圧力で注射がなされる長所がある。
【００４７】
しかし、平板フィルター２０ａである場合にもフィルター２０ａを固定する隔壁２１に一定深さでありながら一定間隔で開口部２２を形成することで、ボトルネック現象を分散させる効果が発生されることで、注射時の圧力が軽減される長所がある。
【００４８】
また、図９（図１０乃至図１２含み）は、フィルター構造体１０が一体型でなされたことは、図１及び図５に示されたところと同一な反面に、流入流路１３と流出流路１４が一側に偏重されるように形成されたものであるので、薬液の流入と流出時に完全な流入や流出がなされない問題が稀に発生し、さらに、強い圧力が要求される部分はあるが、逆止弁の完璧な機能維持のための流入口１１と流出口１２に形成される切開線１１ａ、１２ａの形成や、または切開線１１ａ、１２ａが形成される流入口１１や流出口１２の内側に形成される内側湾曲面１１ｃ、１２ｃや外側に形成される突出湾曲面１１ｂ、１２ｂが形成された部分は、流入口１１や流出口１２に逆止弁の機能を簡単に具現することはもちろん、流入流路１３と流出流路１４が一定の深さを有するようにすることで、フィルター構造体１０が注射針２００の固定部材２２０の内部空間２３０に装着された状態で薬液の流入と流出時に発生される圧力によっても位置が変更（ねじ曲げることが発生されない）されることが発生されなくなることはもちろん、注射針２００を交換せず異物を濾過しながら注射するようにするための本発明の目的を立派に達成することができることは勿論である。
【００４９】
また、図１３、１８、２２、２８は、フィルター構造体１０に流入流路がオープン型流入流路１３ａを示したものであり、前記オープン型流入流路１３ａを有するフィルター構造体１０が既存の注射針２００の固定部材２２０に装着することで、密閉型で具現されるものであり、図１３及び図１８のフィルター構造体は、既存の注射針の固定部材の内部空間に装着することで、密閉型に具現するようになるものであり、図２２及び図２８は、既存の注射針の固定部材の内部空間を形成する内壁に構造の変形をした状態でフィルター構造体を装着することで、フィルター構造体の単純化と同時に流入圧力を低減させた。
【００５０】
すなわち、図１３及び図１８に示されたようにオープン型流入流路を有するフィルター構造体１０の構造は、中央に密閉型の流出流路１４が形成されて、その外周縁にオープン型の流入流路１３ａが形成されて、オープン型の流入流路１３ａは注射針２００の固定部材２２０の内部空間２３０に内壁２３０ａと緊密に密着されて装着されることで密閉型でなされて、この時オープン型の流入流路１３ａの具現はフィルター構造体１０の外壁に一定間隔と一定の太さを有しながら密閉型の流出流路１４の外壁に突き出される柱１３ｂによってそれぞれ独立されて複数個が形成されることであり、この時できれば柱１３ｂは一定間隔を有するように形成することで、オープン型の流入流路１３ａも均一な間隔を維持することで、流入時に発生される圧力が均一になって流入が容易になる。
【００５１】
また、オープン型の流入流路１３ａを形成するようになる柱１３ｂと密閉型の流出流路１４は、一定の深さを有するようになりながらその先端には、逆止弁の機能をする流入口１１ａと流出口１２が形成されるものであり、オープン型の流入流路１３ａを形成する柱１３ｂと流出流路１４が一定の深さを有するようにすることで、フィルター構造体１０が注射針２００の固定部材２２０の内部空間２３０に装着された状態で薬液の流入と流出時に発生される圧力によっても位置が変更されることが発生されなくなる。
【００５２】
また、オープン型の流入流路１３ａの流入口１１ａと密閉型の流出口１２に逆止弁機能を有するようにする場合に、簡単な構造を取るために本発明ではオープン型の流入流路１３ａの後端に傾斜膜１１ａ−１を形成して、傾斜膜１１ａ−１の上側面に柱１３ｂを形成して前記柱１３ｂによって傾斜膜１１ａ−１が一側だけで折り畳まれるようにして、逆止弁の機能をするようになることで、それと同時に柱１３ｂが注射針２００の固定部材２２０の内部空間２３０で支持するようにして、オープン型の流入流路１３ａを通じて薬液が流入される場合に傾斜膜１１ａ−１が容易にひろがるようになりながら、流入が容易であるようにしながら密閉型の流出流路１４を通じて流出される場合には傾斜膜１１ａ−１の傾斜角と柱１３ｂによって一方向の断続が可能な逆止弁の機能を完璧にする。
【００５３】
本発明での傾斜膜１１ａ−１の外側に突出した幅は、柱１３ｂが形成された太さよりさらに長く形成することで流入時に傾斜膜１１ａ−１が容易に開放されるようにしたものである。
【００５４】
しかし、材質の特性によって柱１３ｂを傾斜膜１１ａ−１の突出した幅と等しくした後柱１３ｂが形成されない部分だけで傾斜膜１１ａ−１が折り畳めるようにして薬液の流入が容易にできるものである。
【００５５】
また、流出流路１４の後端に形成される流出口１２は、図１、５、９に示されたように流出口１２を一定の厚さを有する膜の形態で形成して、その膜を圧力によってひろがるようになる切開線１２ａで形成しながら、このような切開線１２ａが形成された膜の形態は、流出口１２が薬液が吐出（進行）される方向に内側湾曲面１２ｃに湾曲するようにすることで、切開線１２ａが容易に開くようにして、吐出が容易であるようにしながら、その反対側には突出湾曲面１２ｂに突き出されるように形成されることで、圧力を少なく受けるようにして流入や流出時にオープン型の流入流路１３ａと流出流路１４のみに優先的に薬液が追い込まれるようにすることで、逆止弁の機能を優秀にさせながらも圧力が低下するようにしたものである。
【００５６】
さらに流出流路１４の流出口１２の外側に突出した突出湾曲面１２ｂは、図１５、１６及び図２０、２１に示されたように注射針２００の固定部材２２０の中央に位置されることで、薬液を注射器本体１００に吸いこむ場合に薬液がこのような突出した突出湾曲面１２ｂによって自然に外側に広がるようになりながら、オープン型の流入流路１３ａに進入されるものであり、図１５、１６及び図２０、２１に示されたようにオープン型の流入流路１３ａの流入口１１ａは、薬液が流入される場合には傾斜膜１１ａ−１が内側に折り畳まれながら流入されて、その後患者に薬液を注射する場合には傾斜膜１１ａ−１が外側に広がりながら傾斜になる傾斜面１１ａ−２によって薬液を患者に注射する場合に密閉型の流出流路１４に自然に追い込まれるようにすることで、薬液を完全に排出するようにするものである。
【００５７】
また、薬液を流出流路１４を通じて流出口１２に吐出して患者に注射する場合に、異物を濾過するために使用されるフィルター２０は、図１３に示されたように平板フィルター２０ａ状に使用するか、または図１８に示されたように内部が空の状態の筒体２０ｂで使用することができることで、これらはそれぞれ注射時に発生される圧力にも形態の変形がないか、または破れることがないようにするものであり、また前記のフィルター２０は流出流路１４に一定の位置に係止されるようにするための手段が使用されるものであり、このようなものは本発明の目的の範囲内で多様な変更使用が可能なものである。
【００５８】
しかし、フィルター２０が平板フィルター２０ａである場合には、ボトルネック現象が発生されながら圧力が増加される反面、フィルター２０を内部空間が空の状態の筒体２０ｂで使用する場合には圧力が分散されながら患者に注射する場合に低い圧力で注射がなされる長所があるものである。
【００５９】
この時、図１３に示されるところのように平板フィルター２０ａを固定する隔壁２１には開口部２２を形成することで薬液の吸入が容易にするものであり、このような隔壁２１は、結局フィルター構造体１０の流入流路１３と流出流路１４の境界をなす薄肉部分ａを補強するようになる長所もあるものであり、フィルター２０が平板２０ａである場合には、ボトルネック現象が発生されながら圧力が増加されることを隔壁２１に形成された開口部２２によって平板フィルター２０ａである場合にもボトルネック現象を分散させる効果が発生されることで、図５の筒体でなされたフィルター２０ｂを使用する場合と同一に注射時に圧力が軽減される長所があるものである。
【００６０】
また、図２２及び図２８は、フィルター構造体１０を既存の注射針２００の固定部材２２０の内部空間２３０を形成する内壁２３０ａに構造の変形（ガイド溝）をした状態で装着することで、フィルター構造体１０の単純化と同時に流入圧力を低減させたものであり、フィルター構造体１０の構造は中央に密閉型の流出流路１４が形成されて、流出流路１４の後端には逆止弁機能を有する流出口１２が形成されて、その外周縁にオープン型の流入流路１３ａが形成されるものであり、前記オープン型の流入流路１３ａは図２６、２７に示されたように注射針２００の固定部材２２０の内部空間２３０を形成する内壁２３０ａと密着されるように装着されることで、内壁に形成されたガイド溝２３０ｂによって密閉型の流入流路を形成するようになるものである。
【００６１】
このために固定部材２２０の内部空間２３０を形成する内壁２３０ａに一定深さでガイド溝２３０ｂを垂直で形成することで、このようなガイド溝２３０ｂによってオープン型流入流路１３ａが密閉型で形成される。
【００６２】
この時できればガイド溝２３０ｂは、一定深さと間隔を有するように形成することで密閉型で流入流路が形成された状態で薬液が注射器本体１００に流入時に発生される圧力が均一になって流入が容易になる。
【００６３】
また、オープン型の流入流路１３ａを形成しているフィルター構造体１０が固定部材２２０の内部空間２３０を形成する内壁２３０ａに形成されるガイド溝２３０ｂが形成された内壁２３０ａとフィルター構造体１０の外壁が緊密に密着されることで、結局密閉型の流入流路が形成されるものであり、また、前記したガイド溝２３０ｂは固定部材の内部空間を形成する内壁に形成された段顎２４０、２４０ａを貫通して形成されながら段顎２４０ａの下端に傾斜膜１１ａ−１の上面が係止されながら流入時のみに作動する逆止弁の機能をする流入口１１ａが形成される。
【００６４】
また、オープン型の流入流路１３ａを密閉型の流入流路で形成するガイド溝２３０ｂと流出流路１４は一定の深さを有するようになることで、フィルター構造体１０が注射針２００の固定部材２２０の内部空間２３０に装着された状態で薬液の流入と流出時に発生される圧力によっても位置が変更されることが発生されなくなる。
【００６５】
また、オープン型の流入流路１３ａの流入口１１ａと密閉型の流出口１２に逆止弁機能を有するようにする場合に簡単な構造を取るために本発明ではオープン型の流入流路１３ａの後端に丸枠の形態で傾斜膜１１ａ−１を突出形成して、傾斜膜１１ａ−１の上側面は固定部材２２０の内部空間２３０を形成する内壁２３０ａに凹入されるように形成されるガイド溝１３ｃの下端、すなわち、段顎２４０ａに支えられるようになることで、傾斜膜１１ａ−１が一側だけで折り畳まれるようにして、逆止弁の機能をするようになるものであり、それと同時に傾斜膜１１ａ−１が注射針２００の固定部材２２０の内部空間２３０の内壁２３０ａに形成されたガイド溝２３０ｂの段顎２４０ａの下端で支えられるようになることで、オープン型の流入流路１３ａを通じて薬液が流入される場合に傾斜膜１１ａ−１が自然に折り畳まれながら注射器本体に流入が容易であるようになるものであり、密閉型の流出流路１４を通じて流出される場合には傾斜膜１１ａ−１の傾斜角がこのようなガイド溝２３０ｂの下端（段顎）２４０ａで緊密に支えられるようになることで、一方向の断続が可能な逆止弁の機能を完璧にさせるようになる。
【００６６】
本発明での傾斜膜１１ａ−１がガイド溝２３０ｂの下端に支えられるようになる幅は、薬液が流出される場合に圧力を勘案して適当な幅で支えられるようにする。
【００６７】
しかし、幅の支持は、材質の経度によって変わるものであるために、多様な幅で本発明の目的の範囲内で変化可能なものである。
【００６８】
また、密閉型の流出流路１４の後端に形成される流出口１２は、図１、５、９、１３、１８、２２に示されたように流出口１２を一定の厚さを有する膜の形態で形成して、その膜を圧力によって開くようになる切開線１２ａで形成しながらこのような切開線１２ａが形成された膜の形態は流出口１２が、薬液が吐出（進行）される方向に内側に湾曲するようにすることで、圧力の集中によって切開線１２ａが容易に開くようにして、吐出が容易であるようにしながらその反対側（外側）には突出湾曲面１２ｂが突き出されるように形成されることで、流入時に圧力を少なく受けるようにすることはもちろん、オープン型の流入流路１３ａのみに薬液が追い込まれるようにすることで、逆止弁の機能を優秀にさせながらも圧力が低下するようにした。
【００６９】
さらに、流出流路１４の流出口１２の外側に突出した湾曲面１２ｂは、図２４、２５、２６及び図３０、３１に示されたように注射針２００の固定部材２２０の中央に位置されることで、薬液を注射器本体１００に吸いこむ場合に薬液がこのような突出した突出湾曲面１２ｂによって自然に広がるようになりながらオープン型の流入流路１３ａに進入されるものであり、図２６及び図３１に示されたようにオープン型の流入流路１３ａの流入口１１ａの外側に広がりながら流入された以後に流出される場合には傾斜になる傾斜面１１ｃによって薬液を患者に注射する場合に密閉型の流出流路１４ですべての薬液が自然に追い込まれるようにすることで、薬液を完全に排出するようにする。
【００７０】
この時、傾斜膜１１ａ−１の上面が支えられるようになる段顎２４０ａ部分とフィルター構造体１０の前方が支えられる段顎２４０部分までガイド溝２３０ｂが形成されて、薬液の流入が容易になされながら注射器フィルター構造体１０が上側に進入されず固定される。
【００７１】
また、薬液を流出流路１４を通じて流出口１２に吐出して患者に注射する場合に異物を濾過してくれるために使用されるフィルター２０は、図２２に示されたように平板２０ａ状で使用するか、または図２８に示されたように内部が空の状態の筒体２０ｂで使用することができるものであり、これらはそれぞれ注射時に発生される圧力にも形態の変形がないか、または破れることがないようにするものであり、また前記のフィルター２０は、流出流路１４に一定の位置に係止されるようにするための手段が使用されるものであり、このようなものは本発明の目的の範囲内で多様な変更使用が可能である。
【００７２】
しかし、フィルター２０が平板２０ａである場合には、ボトルネック現象が発生されながら圧力が増加される反面に、フィルター２０を内部空間が空の状態の筒体２０ｂで使用する場合には、圧力が分散されながら患者に注射する場合に低い圧力で注射がなされる長所がある。
【００７３】
また、図２２及び図２８に示されたようにオープン型流入流路が密閉型流入流路を形成するために固定部材２２０の内部空間２３０を形成する内壁２３０ａにガイド溝２３０ｂで形成したが、ガイド溝の代用でガイド突起が形成される場合にも同一な効果を得るようになる。
【産業上の利用可能性】
【００７４】
本発明は、医療用のフィルターニードルに関するものであり、シリンダーとピストンでなされた注射器に脱着して使用されるものであり、ガラスやプラスチックでなされたアンプルの薬液を注射器のシリンダー内部に吸いこむ時、アンプルから発生される微細粉などが患者に注入されないようにして患者の安全を確保して、さらに吸入と注入が容易であるようにした。
【図１】
0005817050.tif 000002
【図２】
0005817050.tif 000003
【図３】
0005817050.tif 000004
【図４】
0005817050.tif 000005
【図５】
0005817050.tif 000006
【図６】
0005817050.tif 000007
【図７】
0005817050.tif 000008
【図８】
0005817050.tif 000009
【図９】
0005817050.tif 000010
【図１０】
0005817050.tif 000011
【図１１】
0005817050.tif 000012
【図１２】
0005817050.tif 000013
【図１３】
0005817050.tif 000014
【図１４】
0005817050.tif 000015
【図１５】
0005817050.tif 000016
【図１６】
0005817050.tif 000017
【図１７】
0005817050.tif 000018
【図１８】
0005817050.tif 000019
【図１９】
0005817050.tif 000020
【図２０】
0005817050.tif 000021
【図２１】
0005817050.tif 000022
【図２２】
0005817050.tif 000023
【図２３】
0005817050.tif 000024
【図２４】
0005817050.tif 000025
【図２５】
0005817050.tif 000026
【図２６】
0005817050.tif 000027
【図２７】
0005817050.tif 000028
【図２８】
0005817050.tif 000029
【図２９】
0005817050.tif 000030
【図３０】
0005817050.tif 000031
【図３１】
0005817050.tif 000032
【図３２】
0005817050.tif 000033
【図３３】
0005817050.tif 000034